(57)【要約】      （修正有）【課題】連結するポール同士の伸縮調節がワンタッチ動作で簡略容易で、耐久性にも優れた伸縮式突っ張りポール具を提供する。【解決手段】伸縮式突っ張りポール具１は、第１ポール２と、第１ポール内に嵌装可能な第２ポール４と、第１ポールの上端側を装着するとともに、第２ポールの連結固定・解放を行い、第２ポールを伸縮調節可能とする伸縮調節体６と、を有し、伸縮調節体は、第２ポールの下端側が嵌装される上部筒体２１と、上部筒体の下部内に一体的に連結され下方から第１ポールの上端側を装着するとともに上部筒体内に位置する上端部を傾斜部とした下部筒体３１と、を具備する伸縮調節体本体１１と、スライド操作体受部と、操作突片を備えるスライド操作体１３と、圧着環状体と、ガイド筒体と、圧着環状体、ガイド筒体及びスライド操作体に下部筒体側への弾力を付与するコイルスプリングと、を具備するポール圧着・解放部と、を備える。【選択図】図１
0003212637.tif 000002
【実用新案登録請求の範囲】
【請求項１】
第１ポールと、この第１ポール内に嵌装可能な第２ポールと、前記第１ポールの一端を装着するとともに、この第１ポール内に嵌装される前記第２ポールの連結固定、連結固定解放を行い、前記第２ポールを第１ポールに対して伸縮調節可能とする伸縮調節体と、を有する伸縮式突っ張りポール具であって、
前記伸縮調節体は、
中空筒状で第２ポールの下端側が嵌装される上部筒体と、中空筒状で前記上部筒体の下部内に一体的に連結され下方から前記第１ポールの上端を装着するとともに上部筒体内に位置する上端部を傾斜部とした下部筒体と、を具備する伸縮調節体本体と、
前記上部筒体の外壁部から下部筒体の外壁部にわたって伸縮調節体本体の長さ方向に設けたスライド操作体受部と、前記スライド操作体受部に前記伸縮調節体本体の長さ方向にスライド可能に取り付けるとともに、内方の突出端に操作突片を備えるスライド操作体と、前記上部筒体の内部において前記下部筒体の傾斜部上にその内周部の一部が前記第２ポールの外周部に接するようにはみ出す傾斜配置とする圧着環状体と、この圧着環状体上で前記第２ポールの外周に配置する前記圧着環状体と一体化して、かつ、前記スライド操作体の操作突片が外周部に連結されるガイド筒体と、前記上部筒体内の上部側段部と前記圧着環状体との間に配置されこの圧着環状体、前記ガイド筒体及び前記スライド操作体に下部筒体側への弾力を付与する環状弾性体と、を具備するポール圧着・解放部と、
を備え、
前記スライド操作体の上部筒体側へのスライド操作により前記操作突片を介して前記圧着環状体、ガイド筒体を前記環状弾性体の弾力に抗して押し上げ前記圧着環状体を水平状態として、その内周部の第２ポール外周側へのはみ出しを無くして第２ポールを伸縮調節可能な連結固定解放状態とし、
前記環状弾性体の弾力による前記スライド操作体の元位置への復元により前記圧着環状体を傾斜状態に戻しその内周部の第２ポール外周側へのはみ出し圧着により第２ポールを連結固定状態とするように構成したこと、
を特徴とする伸縮式突っ張りポール具。
【請求項２】
円筒状又は丸棒状の第１ポールと、この第１ポール内に嵌装可能な円筒状又は丸棒状の第２ポールと、前記第１ポールの上端側を装着するとともに、この第１ポール内に嵌装される前記第２ポールの連結固定、連結固定解放を行い、前記第２ポールを第１ポールに対して伸縮調節可能とする伸縮調節体と、を有する伸縮式突っ張りポール具であって、
前記伸縮調節体は、
中空筒状で第２ポールの下端側が嵌装される上部筒体と、中空筒状で前記上部筒体の下部内に一体的に連結され下方から前記第１ポールの上端側を装着するとともに上部筒体内に位置する上端部を傾斜部とした下部筒体と、を具備する伸縮調節体本体と、
前記上部筒体の外壁部から下部筒体の外壁部にわたって伸縮調節体本体の長さ方向に設けたスライド操作体受部と、前記スライド操作体受部に前記伸縮調節体本体の長さ方向にスライド可能に取り付けるとともに、内方の突出端に操作突片を備えるスライド操作体と、前記上部筒体の内部において前記下部筒体の傾斜部上にその内周部の一部が前記第２ポールの外周部に接するようにはみ出す傾斜配置とする圧着環状体と、この圧着環状体上で前記第２ポールの外周に配置する前記圧着環状体と一体化して、かつ、前記スライド操作体の操作突片が外周部に連結されるガイド筒体と、前記上部筒体内の上部側段部と前記圧着環状体との間に配置されてこの圧着環状体、前記ガイド筒体及び前記スライド操作体に下部筒体側への弾力を付与するコイルスプリングと、を具備するポール圧着・解放部と、
を備え、
前記スライド操作体の上部筒体側へのスライド操作により前記操作突片を介して前記圧着環状体、ガイド筒体を前記コイルスプリングの弾力に抗して押し上げ前記圧着環状体を水平状態として、その内周部の第２ポール外周側へのはみ出しを無くして第２ポールを伸縮調節可能な連結固定解放状態とし、
前記コイルスプリングの弾力による前記スライド操作体の元位置への復元により前記圧着環状体を傾斜状態に戻しその内周部の第２ポール外周側へのはみ出し圧着により第２ポールを連結固定状態とするように構成したこと、
を特徴とする伸縮式突っ張りポール具。
【請求項３】
前記スライド操作体受部には、前記スライド操作体を前記第２ポールの連結固定状態位置に位置規制する回動可能な位置規制片を備え、前記スライド操作体受部の１８０度反対側には、前記第２ポールをロック状態とするロックネジを備えることを特徴とする請求項１又は２記載の伸縮式突っ張りポール具。
【請求項４】
前記第１ポール又は第２ポールには、衣類等の掛け置き用の任意数のフックが嵌装される請求項１乃至３のいずれか１項に記載の伸縮式突っ張りポール具。
【考案の詳細な説明】
【技術分野】
【０００１】
本考案は、伸縮式突っ張りポール具に関し、詳しくは、連結するポール同士の連結固定、ポールの伸縮調節を可能とする連結固定解除がワンタッチ動作で簡略にでき、耐久性にも優れた伸縮式突っ張りポール具に関するものである。
【背景技術】
【０００２】
従来、室内等の手狭な空間における床、天井間に設置し、衣類等を掛け置く用途に使用するポール式ハンガーの主要部を構成する伸縮式ポール具は、例えば、床面から起立させる大口径の下部ポールの上端部に連結調節体を連結固定して、下部ポールより小径の上部ポールを伸縮調節体を貫通させつつ下部ポールの上端側から内方に抜き差し自在に挿通し、伸縮調節体により上部ポールの固定又は固定解除を行なうことで、上部ポールを下部ポールに対して固定連結し又は下部ポールに対し伸縮調整可能とするものである。
【０００３】
このような従来の伸縮式ポール具としては、従来伸縮調節体をターンバックル構造とし、回動作により上部ポールの固定又は固定解除を行なうものが知られているが、かかるターンバックル構造の伸縮調節体の場合、ネジ締め構造であるため固定操作又は固定解除操作が煩雑であるとともに、多数回の使用に伴ってターンバックル構造の機能が損なわれ実用に支障が生じるという耐久性に関する問題を包含している。
【０００４】
特許文献１には、外筒内に内筒が抜き差し自在に嵌め込まれ、この部位において外筒の端部にはストッパー管が固定され、このストッパー管にはストッパーネジが螺合され、内筒を所定位置で係止できるように構成したストッパー機構を備えるネジ止め式の伸縮式ポール具が提案されている。
【０００５】
この伸縮式ポール具の場合も、ストッパーネジの締め付け、締め付け解除操作が煩雑であるとともに、多数回の使用に伴ってネジ構造の機能が損なわれ実用に支障が生じるという耐久性に関する問題を包含している。
【先行技術文献】
【特許文献】
【０００６】
【特許文献１】特開２００７−１６７４５４号公報
【考案の概要】
【考案が解決しようとする課題】
【０００７】
本考案が解決しようとする課題は、連結するポール同士の伸縮調節が簡略容易で、耐久性にも優れた伸縮式突っ張りポール具が従来存在しない点である。
【課題を解決するための手段】
【０００８】
本考案の伸縮式突っ張りポール具は、第１ポールと、この第１ポール内に嵌装可能な第２ポールと、前記第１ポールの一端を装着するとともに、この第１ポール内に嵌装される前記第２ポールの連結固定、連結固定解放を行い、前記第２ポールを第１ポールに対して伸縮調節可能とする伸縮調節体と、を有する伸縮式突っ張りポール具であって、前記伸縮調節体は、中空筒状で第２ポールの下端側が嵌装される上部筒体と、中空筒状で前記上部筒体の下部内に一体的に連結され下方から前記第１ポールの上端を装着するとともに上部筒体内に位置する上端部を傾斜部とした下部筒体と、を具備する伸縮調節体本体と、前記上部筒体の外壁部から下部筒体の外壁部にわたって伸縮調節体本体の長さ方向に設けたスライド操作体受部と、前記スライド操作体受部に前記伸縮調節体本体の長さ方向にスライド可能に取り付けるとともに、内方の突出端に操作突片を備えるスライド操作体と、前記上部筒体の内部において前記下部筒体の傾斜部上にその内周部の一部が前記第２ポールの外周部に接するようにはみ出す傾斜配置とする圧着環状体と、この圧着環状体上で前記第２ポールの外周に配置する前記圧着環状体と一体化しかつ前記スライド操作体の操作突片が外周部に連結されるガイド筒体と、前記上部筒体内の上部側段部と前記圧着環状体との間に配置されこの圧着環状体、前記ガイド筒体及び前記スライド操作体に下部筒体側への弾力を付与する環状弾性体と、を具備するポール圧着・解放部と、を備え、前記スライド操作体の上部筒体側へのスライド操作により前記操作突片を介して圧着環状体、ガイド筒体を前記環状弾性体の弾力に抗して押し上げ前記圧着環状体を水平状態として、その内周部の第２ポール外周側へのはみ出しを無くして第２ポールを伸縮調節可能な連結固定解放状態とし、前記環状弾性体の弾力による前記スライド操作体の元位置への復元により前記圧着環状体を傾斜状態に戻しその内周部の第２ポール外周側へのはみ出し圧着により第２ポールを連結固定状態とするように構成したことを最も主要な特徴とする。
【考案の効果】
【０００９】
請求項１記載の考案によれば、スライド操作体のワンタッチ動作で第２ポールを第１ポールに対して伸縮自在の状態とし所望の長さに調節することができ、また、スライド操作体に対する操作力を解除するだけで自動的に前記第２ポールを第１ポールに対して固定連結状態とすることもでき、第２ポールの長さ調節及び第２ポールの固定連結が極めて簡略であり、操作性が良好で、しかも従来のターンバックル式やネジ式の伸縮調節体を用いたものに比べ耐久性にも優れた斬新な伸縮式突っ張りポール具を実現し提供することができる。
【００１０】
請求項２記載の考案によれば、第１ポールを円筒状又は丸棒状とし、この第１ポール内に嵌装可能な第２ポールも円筒状又は丸棒状の構成として、請求項１記載の考案と同様な効果を奏する斬新な伸縮式突っ張りポール具を実現し提供することができる。
【００１１】
請求項３記載の考案によれば、請求項１又は２記載の考案の効果を奏することに加えて、前記スライド操作体受部には、前記スライド操作体を前記第２ポールの連結固定状態位置に位置規制する回動可能な位置規制片を備え、前記スライド操作体受部の１８０度反対側には、前記第２ポールをロック状態とするロックネジを備える構成を付加することにより、前記第２ポール４の連結固定状態を確実に維持し得るとともに、前記第２ポールを定位置に確実にロックすることができる斬新な伸縮式突っ張りポール具を実現し提供することができる。
【００１２】
請求項４記載の考案によれば、請求項１乃至３のいずれかに記載の考案の効果を奏することに加えて、第１ポール又は第２ポールに衣類等の掛け置き用の任意数のフックを嵌装していることから、衣類等を掛け置く伸縮式突っ張りポールハンガーとして機能させることができる斬新な伸縮式突っ張りポール具を実現し提供することができる。
【図面の簡単な説明】
【００１３】
【図１】図１は本考案の実施例に係る伸縮式突っ張りポール具の概略正面図である。
【図２】図２は本実施例に係る伸縮式突っ張りポール具における伸縮調節体の拡大斜視図である。
【図３】図３は本実施例に係る伸縮式突っ張りポール具における第２当接体の概略断面図である。
【図４】図４は本実施例に係る伸縮式突っ張りポール具における伸縮調節体による第２ポールの連結固定状態を示す概略断面図である。
【図５】図５は本実施例に係る伸縮式突っ張りポール具における伸縮調節体による第２ポールの連結固定解放状態を示す概略断面図である。
【考案を実施するための形態】
【００１４】
本考案は、連結するポール同士の伸縮調節が簡略容易であり、耐久性にも優れた伸縮式突っ張りポール具を実現し提供するという目的を、円筒状又は丸棒状の第１ポールと、この第１ポール内に嵌装可能な円筒状又は丸棒状の第２ポールと、前記第１ポールの上端側を装着するとともに、この第１ポール内に嵌装される前記第２ポールの連結固定、連結固定解放を行い、前記第２ポールを第１ポールに対して伸縮調節可能とする伸縮調節体と、を有する伸縮式突っ張りポール具であって、前記伸縮調節体は、中空筒状で第２ポールの下端側が嵌装される上部筒体と、中空筒状で前記上部筒体の下部内に一体的に連結され下方から前記第１ポールの上端側を装着するとともに上部筒体内に位置する上端部を傾斜部とした下部筒体と、を具備する伸縮調節体本体と、前記上部筒体の外壁部から下部筒体の外壁部にわたって伸縮調節体本体の長さ方向に設けたスライド操作体受部と、前記スライド操作体受部に前記伸縮調節体本体の長さ方向にスライド可能に取り付けるとともに、内方の突出端に操作突片を備えるスライド操作体と、前記上部筒体の内部において前記下部筒体の傾斜部上にその内周部の一部が前記第２ポールの外周部に接するようにはみ出す傾斜配置とする圧着環状体と、この圧着環状体上で前記第２ポールの外周に配置する前記圧着環状体と一体化し、かつ、前記スライド操作体の操作突片が外周部に連結されるガイド筒体と、前記上部筒体内の上部側段部と前記圧着環状体との間に配置されこの圧着環状体、前記ガイド筒体及び前記スライド操作体に下部筒体側への弾力を付与するコイルスプリングと、を具備するポール圧着・解放部と、を備え、前記スライド操作体の上部筒体側へのスライド操作により前記操作突片を介して前記圧着環状体、ガイド筒体を前記コイルスプリングの弾力に抗して押し上げ前記圧着環状体を水平状態として、その内周部の第２ポール外周側へのはみ出しを無くして第２ポールを伸縮調節可能な連結固定解放状態とし、前記コイルスプリングの弾力による前記スライド操作体の元位置への復元により前記圧着環状体を傾斜状態に戻しその内周部の第２ポール外周側へのはみ出し圧着により第２ポールを連結固定状態とするように構成により実現した。
【実施例】
【００１５】
以下、図面を参照して、本考案の実施例に係る伸縮式突っ張りポール具について詳細に説明する。
【００１６】
本実施例の伸縮式突っ張りポール具１は、図１に示すように、例えば床面４１上に垂直に起立させる例えば合成樹脂製又は金属製で円筒状又は丸棒状の第１ポール２と、この第１ポール２内にその一部を長さ方向に抜き差し可能に挿入しつつ突出させた前記第１ポール２の内径より僅かに小さい外径を有する例えば合成樹脂製又は金属製で円筒状に形成され、被当接面となる天井４２側に配置する円筒状又は丸棒状の第２ポール４と、前記第１ポール２の一端とこの一端から外方（上方）に伸びる第２ポール４の一部とにわたってその外周に配置したこの第２ポール４を連結固定又は連結固定解放状態に調節する伸縮調節体６と、前記第１ポール２の下端が着脱可能に装着され、底部を床面４１に当接させる第１当接体３と、前記第２ポール４の上端が着脱可能に装着され、上端面を天井４２に当接させる第２当接体５と、を有している。
【００１７】
前記第２当接体５は、図３に示すように、上端側が円盤状で、かつ、下方に向けて後述する筒状の受筒体５２を突設させた当接基体５１と、前記当接基体５１の開口部内に嵌装させるとともに上端側を閉塞させ、前記第２ポール４の上端が着脱可能に装着される受筒体５２と、前記当接基体５１の内部に設けた受片５３と受筒体５２の上端面との間に配置する付勢バネ５４と、前記当接基体５１の上端面側に着脱可能に配置した薄い円盤状で例えばゴム製等からなる当接補助体５５とを具備している。
【００１８】
そして、受筒体５２に第２ポール４の上端を装着し、当接基体５１の上端面側を天井４２に当接させるとき、前記付勢バネ５４により前記当接基体５１を弾性をもって天井４２側に圧接するように構成している。また、このとき、当接補助体５５の柔軟性により天井面の損傷を防止するようにしている。
【００１９】
また、前記第１ポール２又は第２ポール４に対しては、図１に示すように、必要に応じて衣類等の掛け置き用の任意数のフック６１を嵌装するようにすることもでき、これにより、本実施例の伸縮式突っ張りポール具１を衣類等を掛け置く伸縮式突っ張りポールハンガーとして機能させることが可能となる。
【００２０】
次に、本実施例の伸縮式突っ張りポール具１における伸縮調節体６の構成、及び第２ポール４の連結固定状態、第２ポール４の伸縮調節のための連結固定解放状態について図２、図４及び図５を参照して詳述する。
【００２１】
図２は、本実施例の伸縮式突っ張りポール具１における伸縮調節体６の拡大状態の外観を示すものである。
【００２２】
前記伸縮調節体６は、図２、図４及び図５に示すように、中空筒状で第２ポール４の下端側が嵌装される上部筒体２１と、中空筒状で前記上部筒体の下部内に一体的に連結され下方から前記第１ポール２の上端側を装着するとともに上部筒体２１内に位置する上端部を傾斜部３２とした下部筒体３１と、を具備する伸縮調節体本体１１と、前記上部筒体２１の外壁部から下部筒体３１の外壁部にわたって伸縮調節体本体１１の長さ方向に設けたスライド操作体受部１２と、前記スライド操作体受部１２に前記伸縮調節体本体１１の長さ方向にスライド可能に取り付けるとともに、内方の突出端に操作突片１４を備えるスライド操作体１３と、前記上部筒体２１の内部において前記下部筒体３１の傾斜部３２上にその内周部の一部が前記第２ポール４の外周部に接するようにはみ出す傾斜配置とする圧着環状体２２と、この圧着環状体２２上で前記第２ポール４の外周に配置する前記圧着環状体２２と一体化し、かつ、前記スライド操作体１３の操作突片１４が外周部に連結されるガイド筒体２３と、前記上部筒体２１内の上部側段部２１ａと前記圧着環状体２２との間に配置されこの圧着環状体２２、前記ガイド筒体２３及び前記スライド操作体１３に下部筒体３１側への弾力を付与する環状弾性体であるコイルスプリング２４と、を具備するポール圧着・解放部２０と、を備えている。
【００２３】
前記伸縮調節体本体１１における前記スライド操作体受部１２とは１８０度反対側の位置には、そのネジ先端部を前記第２ポール４の外周に当接させてこの第２ポール４を定位置でロック状態とするロックネジ２６を、内部に固定配置したナット２５ａに螺合可能とするロックネジ受部２５を設けている。
【００２４】
前記スライド操作体受部１２における上部筒体２１、下部筒体３１の境界部分には、前記スライド操作体１３を前記第２ポール４の連結固定状態位置に位置規制するストッパーとして機能する例えば金属線材により全体形状をＵ字状形態に形成した位置規制片２７の基部を回動可能に取り付けている。
【００２５】
そして、図２に示すように、位置規制片２７を回動させその突出端側のＵ字状分部を前記スライド操作体１３の上部に掛け回す状態とすることで、前記スライド操作体１３を第２ポール４の連結固定状態位置に位置規制（スライド操作体１３の上方へのスライドを防止）するように構成し、前記第２ポール４の連結固定状態を確実に維持し得るようにしている。
【００２６】
本実施例の伸縮式突っ張りポール具１における前記第２ポール４の連結固定状態、連結固定解放状態は、図４、図５に示す通りである。
【００２７】
すなわち、図４は、前記第２ポール４の連結固定状態を示すものであり、このとき、前記コイルスプリング２４の弾力を受けつつ前記スライド操作体１３は元位置にあり、前記圧着環状体２２は前記コイルスプリング２４の弾力を受けつつ前記下部筒体３１の傾斜部３２上にあり、その内周部の第２ポール４の外周側へのはみ出し圧着によりこの第２ポール４を前記伸縮調節体６内において連結固定状態としている。
【００２８】
図５は、前記第２ポール４の連結固定解放状態を示すものであり、この場合には、前記スライド操作体１３の上部筒体２１側へのスライド操作より前記操作突片１４を介して前記圧着環状体２２、ガイド筒体２３を前記コイルスプリング２４の弾力に抗して押し上げ、前記圧着環状体２２を水平状態として、その内周部の第２ポール４の外周側へのはみ出しを無くして第２ポール４を伸縮調節可能な連結固定解放状態とし、これにより、前記第２ポール４の前記第１ポール２に対する嵌装位置を自由に調節し得るようにしている。
【００２９】
なお、伸縮式突っ張りポール具１の包装や、運送を行なう際には、前記伸縮調節体６において前記第２ポール４を第１ポール２に対して伸縮自在の状態とし、前記第２ポール４を第１ポール２内に押し込み、全体長を短縮させる。
【００３０】
これは、第１ポール２、第２ポール４が図１に示すような長尺な状態で連結固定されたままでは外部からの衝撃によって第２ポール４に変形が発生し、製品に瑕疵が発生する虞れがあることから、全体長を短縮させて瑕疵の発生を未然に防止するためである。
【００３１】
本実施例に係る伸縮式突っ張りポール具１によれば、前記スライド操作体１３をスライド操作するだけのワンタッチ動作で、前記第２ポール４を第１ポール２に対して伸縮自在の状態として、前記第２ポール４の突出長さを所望の長さに調節することができ、また、前記前記スライド操作体１３に対する操作力を解除するだけで自動的に前記第２ポール４を第１ポール２に対して連結固定状態とすることもできる。
【００３２】
したがって、第２ポール４の長さ調節及び第２ポール４の固定が極めて簡略であり、操作性が良好で、しかも従来のターンバックル式やネジ式の伸縮調節体を用いたものに比べ耐久性にも優れた斬新な伸縮式突っ張りポール具１を実現し提供することができる。
【００３３】
また、前記第２ポール４の上端を装着する第２当接体５を、付勢バネ５４を内蔵した圧接構造とし、かつ、天井４２に柔軟に当接する当接補助体５５を具備する構造としているので、前記第２ポール４側を天井４２に的確に、かつ、天井面の損傷を防止しつつ取り付けることができる伸縮式突っ張りポール具１を実現し提供することができる。
【産業上の利用可能性】
【００３４】
本考案の伸縮式突っ張りポール具１は、上述した場合の他、室内の壁面間、室内の壁面と間仕切り壁間等に水平配置で取り付け、衣類用ハンガーに掛けたシャツや洋服、ドレス等を横並びで掛けて配列する水平型の伸縮式突っ張りポールハンガーとして利用するという応用も可能である。
【符号の説明】
【００３５】
１    伸縮式突っ張りポール具
２    第１ポール
３    第１当接体
４    第２ポール
５    第２当接体
６    伸縮調節体
１１    伸縮調節体本体
１２    スライド操作体受部
１３    スライド操作体
１４    操作突片
２０    ポール圧着・解放部
２１    上部筒体
２１ａ  上部側段部
２２    圧着環状体
２３    ガイド筒体
２４    コイルスプリング
２５    ロックネジ受部
２５ａ  ナット
２６    ロックネジ
２７    位置規制片
３１    下部筒体
３２    傾斜部
４１    床面
４２    天井
５１    当接基体
５２    受筒体
５３    受片
５４    付勢バネ
５５    当接補助体
６１    フック
【図１】
0003212637.tif 000003
【図２】
0003212637.tif 000004
【図３】
0003212637.tif 000005
【図４】
0003212637.tif 000006
【図５】
0003212637.tif 000007